(57)【要約】【課題】  本発明は、海面活性剤を頭部上面に塗布した樹脂材より形成することによって錆が発生せず、かつ表面張力が起こらない天端高さ位置決め補助具を提供することを目的とするものである。【解決手段】  本発明の天端高さ位置決め補助具１は、硬質プラスチックなどの樹脂材より形成されるものであり、円板形状の高さ位置合わせ頭部２と、この高さ位置合わせ頭部２の下面中央より下方に垂下される差し込み棒部３とから構成されるものである。【選択図】        図１
2005325572.tif 000002
【特許請求の範囲】
【請求項１】
樹脂材より形成される平板状の高さ位置合わせ頭部と、
前記頭部の下面より垂下される差し込み棒部を備える
ことを特徴とする天端高さ位置決め補助具。
【請求項２】
少なくとも前記頭部表面に界面活性剤が塗布された
ことを特徴とする請求項１に記載の天端高さ位置決め補助具。
【発明の詳細な説明】
【技術分野】
【０００１】
本発明は、天端高さ位置決め補助具に関する。詳しくはコンクリート基礎工事での天端高さの位置を決めるための補助具に係るものである。
【背景技術】
【０００２】
住宅施工に基礎工事において基礎の上部に配置される土台を保つために基礎の上端部の平坦化を図る必要があるが、基礎としてのコンクリートは一般に流動性に乏しく、凝固・固化後にその表面に多少とはいえ凹凸が残るために、所定の打ち込みレベルの近くまで打ち込んだコンクリートの頂面に、液状近くになるまで軟らかくしたセメント比率の高いコンクリートであるレベラーを施工して基礎の所定の高さを得ると共に基礎の上端部の平坦化を図っている。
【０００３】
そこで図６に示すように、所定の打ち込みレベルを示す図６中符号Ａで示す位置の近くである図６中符号Ｂで示す位置までコンクリート１０１を打ち込む。続いて、埋設する釘が所定の位置を保持できる程度にコンクリートが硬化した後に、頭部が所定の打ち込みレベルとなるように多数の釘１０２を埋設する。そして釘の頭部で示される所定のレベルまで釘の頭部を目安としてレベラー１０３を流し込むことによって基礎の上端部の平坦化を図っていた。
【発明の開示】
【発明が解決しようとする課題】
【０００４】
しかしながら、上記した釘をコンクリートに打ち込む方法では、釘はレベラーが流し込まれることによってコンクリート内に埋没することになり、コンクリート内の水分によって釘が錆びてコンクリートが劣化する問題がある。
【０００５】
また、図７に示すように金属製の釘頭部表面１０４は親水性に乏しいために釘頭部表面より液状のレベラー１０３が盛り上がる所謂表面張力が生じる。従ってこの表面張力によって正確なレベル調整を行うことが困難となる問題がある。
【０００６】
本発明は、以上の点に鑑みて創案されたものであって、海面活性剤を頭部上面に塗布した樹脂材より形成することによって錆が発生せず、かつ表面張力が起こらない天端高さ位置決め補助具を提供することを目的とするものである。
【課題を解決するための手段】
【０００７】
上記の目的を達成するために、本発明に係る天端高さ位置決め補助具は、樹脂材より形成される平板状の高さ位置合わせ頭部と、前記頭部の下面より垂下される差し込み棒部を備える。
【０００８】
ここで、高さ位置合わせ頭部および基礎コンクリート上面に差し込まれる差し込み棒部を硬質プラスチックなどの樹脂材により形成することによって、コンクリート硬化後における錆の発生によるコンクリートのひび割れや劣化を防ぐことが可能となる。
【０００９】
さらに、高さ位置合わせ頭部上面にイオン系界面活性剤あるいは、非イオン系活性剤を塗布することにより高さ位置合わせ頭部上面が親水性を有することになり、レベラーの表面張力によるレベル高さ誤差を解消することができる。
【発明の効果】
【００１０】
本発明の天端高さ位置決め補助具によれば、樹脂材により形成することによりレベル高さの位置決めを行う場合に、鉄釘を使用に比べて軽量であるために、その取扱いが非常に楽となる。
【００１１】
また、樹脂材により形成されることにより、水分の多いコンクリートに埋設された場合でも錆が発生せず、錆によりコンクリートにひび割れが生じ、このひび割れから雨水等の浸水によりコンクリートの劣化を防止することができる。
【００１２】
更に、高さ位置合わせ頭部上面に界面活性剤を塗布することにより、高さ位置合わせ頭部円周縁からレベラーが盛り上がる、所謂表面張力現象を生じることがないために、レベラーによるレベル高さの天端出しを行うことが可能となる。
【発明を実施するための最良の形態】
【００１３】
以下、本発明の実施の形態を図面を参酌しながら説明し、本発明の理解に供する。
図１に、本発明を適用した天端高さ位置決め補助具の一例を説明するための斜視図である。
【００１４】
ここで示す天端高さ位置決め補助具１は、硬質プラスチックなどの樹脂材より形成されるものであり、直径約８ｍｍから１０ｍｍとした円板形状の高さ位置合わせ頭部２と、この高さ位置合わせ頭部２の下面中央より下方に垂下される長さ５ｃｍから５．５ｃｍおよび軸径２．５ｍｍから３．０ｍｍとした差し込み棒部３とから構成されるものである。
【００１５】
前記高さ位置合わせ頭部２の直径を一般的な鉄釘の頭部径より大きい８ｍｍから１０ｍｍとすることにより視認によるレベラーとの高さ調整を容易に行うことができる。
また、差し込み棒部３長さを５ｃｍから５．５ｃｍとするのはレベラー高さは約１ｃｍから２ｃｍとされるためにコンクリートに約３ｃｍ深さ差し込むことによって安定した高さ位置合わせ頭部２の施工が行えるものである。
【００１６】
また、差し込み棒部が図１に示すように必ずしも先端が鋭突形状となるように形成される必要性は無く、型枠内に流し込まれた軟らかい状態のコンクリートに差し込むものであることから、差し込める形態のものであれば、例えば図２に示すように差し込み棒部３の先端が鋭突形状ではなく単に円柱形状のものであっても構わない。
【００１７】
次に図３示すように、位置合わせ頭部２の上面に界面活性剤４を塗布するものである。この界面活性剤には、イオン系界面活性剤および非イオン系界面活性剤があり、更にイオン系界面活性剤には陰イオン系界面活性剤および陽イオン系界面活性剤がある。
【００１８】
また、陰イオン系界面活性剤には鉱油系および脂肪酸系があり、本実施例では脂肪酸系である脂肪酸ナトリウム塩を塗布することで位置合わせ頭部の上面に親水性を生起することになる。
【００１９】
以下、本発明に係る天端高さ位置決め補助具を用いての基礎の上端部の平坦化について図４を用いて説明する。
即ち、図４（ａ）で示すように、所定のレベル高さＣ位置近くまでコンクリート５を打ち込む。
【００２０】
次に、図４（ｂ）で示すように、天端高さ位置決め補助具１の高さ位置合わせ頭部２の差し込み棒部３を差し込み、高さ位置合わせ頭部２が所定のレベル高さＣ位置に保持することができる程度にまでコンクリートが硬化した後に、コンクリート５に高さ位置合わせ頭部２がレベル高さＣ位置となるまで差し込み棒部３を差し込むものである。
【００２１】
そして図４（ｃ）で示すように、高さ位置合わせ頭部２の上端位置までレベラー６を流し込むことによって基礎の上端部のレベル高さと平坦化が図れることとなる。
即ち、図４に示すように、高さ位置合わせ頭部２上面に界面活性剤４が塗布されることにより高さ位置合わせ頭部２の周縁部に対してレベラー６による表面張力が生起せず、その結果レベル高さ誤差が生ずることがない。
【００２２】
なお、樹脂材は必ずしも硬質プラスチックである必要性は無く、錆が発生しないものであれば木製や塩化ビニールなどいかなる樹脂材であっても構わない。
【図面の簡単な説明】
【００２３】
【図１】本発明を適用した天端高さ位置決め補助具の一例を示す斜視図である。
【図２】図１における要部拡大断面図である。
【図３】本発明を適用した天端高さ位置決め補助具における差し込み棒部の他の例を示す説明図である。
【図４】本発明に係る天端高さ位置決め補助具を用いての実施状態を示す説明図である。
【図５】本発明に係る天端高さ位置決め補助具の高さ位置合わせ頭部の作用状態を示す説明図である。
【図６】従来の釘によるレベル高さ決めの実施状態を示す説明図である。
【図７】図５における釘の頭部の作用状態を示す説明図である。
【符号の説明】
【００２４】
１      天端高さ位置決め補助具
２      高さ位置合わせ頭部
３      差し込み棒部
４      界面活性剤
５      コンクリート
６      レベラー
【図１】
2005325572.tif 000003
【図２】
2005325572.tif 000004
【図３】
2005325572.tif 000005
【図４】
2005325572.tif 000006
【図５】
2005325572.tif 000007
【図６】
2005325572.tif 000008
【図７】
2005325572.tif 000009